(57)【要約】      （修正有）【課題】施解錠する鍵の挿入を行い易くするよう改善された錠前用シリンダを提供する。【解決手段】錠前用シリンダ１を、筒状構造のケース２と、ケースの筒内部で先端部から後端部まで貫通して延び、回動可能に支持され、先端部分に鍵穴を有する回動部材３とで構成し、回動部材の鍵穴７部分には、凹状のガイド穴１３が形成される。凹状のガイド穴の一例として、ケースは、回動部材を収容する胴体部２ａと、胴体部の先端部分に一体的に設けられたケーズ頭部２ｂとを有し、回動部材は、ケースのケーズ頭部内部に配置されて合体する回動頭部３ａを有し、ケーズ頭部の先端部には先端から後方へ向けて次第に縮径するように形成された切頭円錐台構造のテーパ孔１１が形成され、回動部材の回動頭部の内部には先端から後方の鍵穴部分へ向けて次第に縮径するように形成された円錐形状のテーパ凹部１２が形成され、テーパ孔のテーパ面とテーパ凹部のテーパ面とは連続して所定の合成深さを持つ円錐形状のガイド穴を形成することもできる。【選択図】図２
0003229448.tif 000002
【実用新案登録請求の範囲】
【請求項１】
錠本体としての筒状構造のケースと、
前記ケースの筒内部で先端部から後端部まで貫通して延び、回動可能に支持され、先端部分に鍵穴を有する円柱構造の回動部材と、を備え、
前記回動部材の鍵穴部分には、凹状のガイド穴が形成される、
ことを特徴とする錠前用シリンダ。
【請求項２】
前記ケースは、回動部材を収容する胴体部と、胴体部の先端部分に一体的に設けられたケーズ頭部とを有し、
前記回動部材は、前記ケースのケーズ頭部内部に配置されて合体する回動頭部と、ケースの後端部よりもさらに後方まで延びた突端部とを有し
前記ケーズ頭部の先端部には先端から後方へ向けて次第に縮径するように形成された切頭円錐台構造のテーパ孔が形成され、
前記回動部材の回動頭部の内部には先端から後方の鍵穴部分へ向けて次第に縮径するように形成された円錐形状のテーパ凹部が形成され、
前記テーパ孔のテーパ面とテーパ凹部のテーパ面とは連続して所定の合成深さを持つ円錐形状のガイド穴を形成する、
ことを特徴とする請求項１に記載の錠前用シリンダ。
【請求項３】
凹状のガイド穴は、円錐形状のテーパ孔及びテーパ凹部に代えて、Ｕ字形状、多角錐形状のうち少なくともいずれか一つの形状の窪みを形成するものであることを特徴とする請求項２に記載の錠前用シリンダ。
【考案の詳細な説明】
【技術分野】
【０００１】
本考案は、錠前用シリンダ、特に当該錠前用シリンダを施解錠する鍵の挿入を行い易くした錠前用シリンダに関するものである。
【背景技術】
【０００２】
従来、錠前用シリンダとしては、錠本体の施解錠機構に連結される、例えば錠前用シリンダが知られている。この種のシリンダを用いた従来の錠前は、例えば特公平６−１３８００号公報に開示されているものがある。この従来例は電気式錠前に係るもので、錠本体に取り付けられる外筒内に錠本体の施解錠機構に連結される内筒を回動自在に設け、内筒に設けられた鍵挿入溝内に正当な鍵を挿入した場合にのみ内筒が外筒内で運動するのを禁止するための係入ピンを電気的駆動手段によって外し、これにより内筒の回動運動の拘束状態を解き、挿入している鍵により内筒を回して錠本体の施解錠機構を解錠状態にする構成である。
【０００３】
上記従来例とは別のタイプとして機械式錠前があり、この機械式錠前では、外筒と、当該外筒内に回動自在に設けられ錠本体の施解錠機構に連結される内筒とを有し、内筒に設けられた鍵挿入溝内に正当な鍵を挿入することにより、内筒が外筒内で運動するのを禁止するための係入ピンを機械的駆動手段によって外すようになっている。
【先行技術文献】
【特許文献】
【０００４】
【特許文献１】特公平６−１３８００号公報
【考案の概要】
【考案が解決しようとする課題】
【０００５】
しかしながら、上述した従来の錠前用シリンダでは、通常、鍵差込み口が設けられた錠前用シリンダの前面部分が平面形状に成形されており、この前面部分に鍵穴が形成されている。そのため、鍵の使用者が錠前を操作する場合は、その鍵の先端を鍵穴に合うように位置決めし、その状態で真っ直ぐに鍵穴に差し込むという操作が必要である。このような操作は健常者や若者にとっては特に不都合や操作上のもたつきやミスは生じないが、病人や高齢者、或いは身体障害者にとっては操作を誤ったり、操作に手間取ったりすることがあり得る。
【０００６】
本考案は上述のような従来の錠前用シリンダにおける不具合に鑑みてなされたもので、その目的は、上述の操作性の問題を解決することができる、施解錠する鍵の挿入を行い易くなるよう改善された錠前用シリンダを提供することにある。
【課題を解決するための手段】
【０００７】
本考案は、上記目的を達成するため、施解錠を行うための上記課題を解決するための錠前用シリンダにおいて、錠本体としての筒状構造のケースと、前記ケースの筒内部で先端部から後端部まで貫通して延び、回動可能に支持され、先端部分に鍵穴を有する円柱構造の回動部材と、を備え、前記回動部材の鍵穴部分には、凹状のガイド穴が形成されるようにしたことを要旨とする。
【０００８】
上記の錠前用シリンダにおいて、前記ケースは、回動部材を収容する胴体部と、胴体部の先端部分に一体的に設けられたケーズ頭部とを有し、前記回動部材は、前記ケースのケーズ頭部内部に配置されて合体する回動頭部と、ケースの後端部よりもさらに後方まで延びた突端部とを有し前記ケーズ頭部の先端部には先端から後方へ向けて次第に縮径するように形成された切頭円錐台構造のテーパ孔が形成されることもできる。
【０００９】
また、前記回動部材の回動頭部の内部には先端から後方の鍵穴部分へ向けて次第に縮径するように形成された円錐形状のテーパ凹部が形成され、前記テーパ孔のテーパ面とテーパ凹部のテーパ面とは連続して所定の合成深さを持つ円錐形状のガイド穴を形成するようにすることもできる。
【００１０】
また、凹状のガイド穴は、円錐形状のテーパ孔及びテーパ凹部に代えて、Ｕ字形状、多角錐形状のうち少なくともいずれか一つの形状の窪みを形成するようにすることもできる。
【考案の効果】
【００１１】
本考案の錠前用シリンダは、上記構成により、キーの使用者がキーを鍵穴に向けて進めるとき、特に鍵穴を目指して進めなくてもキーの先端がガイド穴のテーパ面に当たり、これに沿って鍵穴に導かれる。これにより、施解錠するキーの挿入が行い易くなり、キー操作性が向上する。
【図面の簡単な説明】
【００１２】
【図１】本考案の一実施の形態に係る錠前用シリンダを鍵穴面の側から見た正面図である。
【図２】上記実施の形態に係る錠前用シリンダの一部断面側面図である。
【図３】上記実施の形態に係る錠前用シリンダが取り付けられる被取付部に開けられた取付穴の一例を示す正面図である。
【図４】上記実施の形態に係る錠前用シリンダを施解錠するためのキーの一例を示す正面図である。
【考案を実施するための形態】
【００１３】
以下、本考案の一実施の形態を添付の図面を参照して詳細に説明する。図１は本考案の一実施の形態に係る錠前用シリンダを鍵穴面側から見た正面図である。図２は同じ実施の形態に係る錠前用シリンダの一部断面側面図である。
【００１４】
錠前用シリンダ１は、錠本体としての筒状構造のケース２と、ケース２の筒内部に遊嵌状態で設置され、ケース２の内部に支持されている円柱構造の回動部材３とを備えている。上述の構成において、ケース２の先端部分には錠前シリンダーの取り付け固定に際して基台となるべくケース２に嵌合されたガイドリング４を設けることもできる。なお、この明細書において、「先端」とは図２で見て左方側の端部を指す。回動部材３は、ケース２の内周面５との間に僅かな隙間をもって回動可能に支持されており、且つ、ケース２の内周面５と回動部材３の外周面との間には、潤滑油が充填されている。これにより、ケース２の内周面５と回動部材３の外周面との間から、水滴や塵などがその内側に入り込むのを防止する構成となっている。
【００１５】
ケース２は、回動部材３を収容する胴体部２ａと、胴体部２ａの先端部分に一体的に設けられたケーズ頭部２ｂとを有している。ケース２の胴体部２ａは筒状構造を有するが、その外形断面は非円形、例えば概略小判形の断面形状を有しており、小判形の長径両端部分は円弧形状に成形される一方、短径両側部は長径両端部分に連続する平行体形状に成形されている。他方ケーズ頭部２ｂは胴体部２ａよりも大きな径の円形断面に成形されている。胴体部２ａの円弧形状に成形された長径両端部分の外径には胴体部２ａの略全長にわたって第１のネジ部２ｃが形成されている。また、ケース２の後端部分には回動部材３を回動可能に支持するために軸受部材６が設けられている。
【００１６】
回動部材３は、ケース２の内部を、その先端部から後端部まで貫通して延び、ケース２のケーズ頭部２ｂ内部に配置されて合体する回動頭部３aと、ケース２の後端部よりもさらに後方まで延びた突端部３ｂとを有している。突端部３ｂの外周には、第２のネジ部３ｃが形成されている。また、回動部材３の回動頭部３aにはキー（後出の１７）が差し込まれる鍵穴７が形成されている。他方、回動部材３の突端部３ｂは円柱状の突起構造となっており、当該突端部３ｂの外径には第２のネジ部３ｃが形成されている。
【００１７】
回動部材３をケース２の所定の位置（正規位置）に設置するために、ケース頭部２ｂの内周面５の後端部分には段差構造の肩部２ｄが形成される一方、回動部材３の回動頭部３aの後端部分には上記肩部２ｄに整合対接する段差構造の鍔部３ｄが形成されている。そして、ケース２の先端側から回動部材３を差し込むと、回動頭部３aの鍔部３ｄがケース頭部２ｂの肩部２ｄに整合対接し、回動部材３がケース２内の正規位置に、回動可能に設置される。この状態で回動部材３の突端部３ｂの後端側からケース２側へは回転規制カム８が挿通され、この回転規制カム８はケース２の後端に設けられた軸受６内部に到達して装着される。上記回転規制カム８が装着された後、回動部材３の突端部３ｂの後端側からケース２側へは歯付座金９が挿通され、この歯付座金９はケース２の後端に到達設置された回転規制カム８に平坦面を対接させた状態でセットされる。さらに、回動部材３の突端部３ｂには第１のナット１０がセットされ、この第１のナット１０は突端部３ｂの外径に形成された第２のネジ部３ｃにねじ込まれてケース２側へねじ送りされ、歯付座金９の歯面に対接して歯付座金９及び回転規制カム８を固定する。これにより回動部材３がケース２に組み付けられ、錠前用シリンダ１が組み立てられる。
【００１８】
なお図２において、符号１４は、錠前用シリンダ１を建築物などの被取付部１５に取り付け固定するためにケース２の第１のネジ部２ｃにねじ込まれる取付ナットである。
【００１９】
ケース２及び回動部材３の先端部分においては、ケーズ頭部２ｂの内部に回動部材３の回動頭部３aが嵌合されている。ケーズ頭部２ｂの先端部には先端から後方へ向けて次第に縮径するように形成された切頭円錐台構造のテーパ孔１１が形成され、そのテーパ面はテーパ孔１１の後端において内周面５に連続している。また、回動部材３の先端部分においては、回動頭部３aの内部に先端から後方の鍵穴７部分へ向けて次第に縮径するように形成された円錐形状のテーパ凹部１２が形成され、そのテーパ面はテーパ凹部１２の後端において鍵穴７の入り口で終端している。したがって、ケース２に回動部材３を装着する場合、回動部材３の回動頭部３aがケース頭部２ｂのテーパ孔１１から後方へ差し込まれて正規位置に設置されると、回動頭部３aの外周面はケーズ頭部２ｂの内周面５に緩く嵌合され、且つ、テーパ孔１１のテーパ面とテーパ凹部１２のテーパ面は連続して所定の合成深さを持つ凹状のガイド穴１３が形成される。凹状のガイド穴１３の具体的な形状は、上の説明から導かれる円錐形状のガイド穴１３であっても良いし、それ以外にも、Ｕ字形状や多角錐形状など窪みを形成する形状であれば良い。
【００２０】
以上の構成を有する錠前用シリンダ１を建築物などの被取付部（例えば、ドアなど）１５に取り付けるには、当該錠前用シリンダ１を被取付部１５に開けられた取付穴１６に、回動部材３の突端部３ｂ側から差し込み挿入する。このとき、錠前用シリンダ１のケーズ頭部２ｂにはガイドリング４が取り付けられている。図３は錠前用シリンダ１が取り付けられる被取付部１５に開けられた取付穴１６の一例を示す正面図である。図３から明らかなように、取付穴１６は錠前用シリンダ１のケーズ２の胴体部２aの外形（上述の小判形の断面形状）に整合するように成形されている。錠前用シリンダ１が取付穴１６に挿入されると、ガイドリング４が被取付部１５の面（表面）に当接して取付位置が決定され、ケーズ２の胴体部２aが取付穴１６の位置に設置される。この状態で、被取付部１５の裏面側から、取付ナット１４がケース２の第１のネジ部２ｃにねじ込まれて被取付部１５側へねじ送りされ、被取付部１５の裏面に対接して締め付けることにより、錠前用シリンダ１を被取付部１５に固定する。
【００２１】
図４は本実施の形態に係る錠前用シリンダ１を施解錠するためのキーの一例を示す正面図である。このキー１７は、棒状に成形され錠前用シリンダ１の鍵穴７に差し込まれるキー作用部１７aと、平板状に成形されキー作用部１７aの基端部に一体的に設けられたグリップ部１７ｂとを有する。キー１７の使用者が錠前用シリンダ１を施解錠するためにキー１７を鍵穴７に向けて進めるとき、特に鍵穴７を目指して進めなくてもキー作用部１７aの先端は錠前用シリンダ１のケーズ頭部２ｂ又は回動頭部３aに当たり、ガイド穴１３のテーパ面に沿って鍵穴に導かれる。このため使用者はキーを回転方向に少し回転操作するだけでキー１７は鍵穴７と合致し円滑に鍵穴７に差し込まれ、施解錠操作を容易に行うことができる。
【産業上の利用可能性】
【００２２】
錠前シリンダーの鍵穴部分に凹状のガイド穴を形成することにより、キー使用者にとって、キーがガイド穴に沿って鍵穴まで導かれてキーの挿入が行い易くなり、有用である。
【符号の説明】
【００２３】
１  錠前用シリンダ
２  ケース
３  回動部材
４  ガイドリング
５  内周面
６  軸受部材
７  鍵穴
８  回転規制カム
９  歯付座金
１０  第１のナット
１１  テーパ孔
１２  テーパ凹部
１３  ガイド穴
１４  取付ナット
１５  被取付部
１６  取付穴
１７  キー
【図１】
0003229448.tif 000003
【図２】
0003229448.tif 000004
【図３】
0003229448.tif 000005
【図４】
0003229448.tif 000006